(57)【要約】【課題】従来、メロディーを鳴動する場合、メロディーにより構成される周波数成分は異なるため、使用するメロディーによってはスピーカの実装時の周波数特性や後述するラウドネス曲線から得られる音圧効果から実質的に十分な音圧が得られないことが問題であった。【解決手段】着信通知手段として楽曲を使用する携帯端末装置において、楽曲データの中心周波数を等ラウドネス曲線から得られる人間にとって聴覚上の感度が高い周波数範囲(２kHz〜４kHz)を中心に移調することを特徴した。この構成により、着信通知効果を高めることができる。【選択図】図１
2007318211.tif 000002
【特許請求の範囲】
【請求項１】
着信通知手段として楽曲を使用する携帯端末装置において、楽曲データの中心周波数を等ラウドネス曲線から得られる人間にとって聴覚上の感度が高い周波数範囲(２kHz〜４kHz)を中心に移調することを特徴とする携帯端末装置。
【請求項２】
着信通知手段として楽曲を使用する携帯端末装置において、楽曲データの中心周波数を使用するスピーカ特性から得られる出力音圧レベルが高い周波数範囲を中心に移調することを特徴とする携帯端末装置。
【請求項３】
上部筐体と下部筐体が開閉可能なヒンジ部によって連結され、互いに折り畳みが可能な折り畳み式携帯端末装置において、前記上部筐体と前記下部筐体の開閉状態を検出して、移調の切り替え選択を行うことを特徴とする、請求項１または請求項２に記載の携帯端末装置。
【発明の詳細な説明】
【技術分野】
【０００１】
本発明は、着信通知手段として楽曲を使用する携帯端末装置に関するものである。
【背景技術】
【０００２】
従来の携帯電話機の着信通知手段としては、単一トーンを鳴動する方法や、単音または主旋律と副旋律を持つ和音メロディーをスピーカから鳴動して行っている。和音メロディーを鳴動する場合、複数の重畳された信号がスピーカの定格入力を超えないような設計を行っている。このため和音メロディー１音の鳴動時の信号レベルは、単音メロディーと比較して小さくなる。また、携帯電話の小型化により実装できるスピーカの口径は小型の物に限られ定格入力も小さい。さらにスピーカ音孔が障害物により塞がれた場合にも音圧は低下し着信通知効果は低下する。これらの解決としては、特開２００１−３０８９６２のような和音メロディーに対して音圧を上げた単音のメロディの鳴動に変更する方法や、特開２００４−０３２６８６のようなスピーカを複数持たせて高音域のレベルを上げて音響特性を補正する方法がある。
【特許文献１】特開２００１−３０８９６２号公報
【特許文献２】特開２００４−０３２６８６号公報
【発明の開示】
【発明が解決しようとする課題】
【０００３】
しかしながら、特開２００１−３０８９６２のような方法では、和音メロディーが単音メロディー等に変更されてしまう。特開２００４−０３２６８６のような方法では、スピーカを複数持つ必要があり部品点数が増える。また、メロディーを鳴動する場合、メロディーにより構成される周波数成分は異なるため、使用するメロディーによってはスピーカの実装時の周波数特性や後述するラウドネス曲線から得られる音圧効果から実質的に十分な音圧が得られないことがある。
【課題を解決するための手段】
【０００４】
上記目的を達成するために、本発明による携帯端末装置は、楽曲データの中心周波数を等ラウドネス曲線から得られる人間にとって聴覚上の感度が高い周波数範囲(２kHz〜４kHz)を中心に移調することを特徴とする。ラウドネス曲線とは、図２においてグラフの横軸は周波数、縦軸は音の強さのレベルとなっている。グラフ上の曲線が、聴覚上、同じ大きさの音に聞こえる点を線で結んだものである。例えば、１kHz上の「６０」と書かれた曲線の場合、縦軸の値は約６０dBを示す。この曲線の２０Hz付近は８５dB程になっているが、この意味するところは、１kHzの６０dBの音と同じ大きさと感じる２０Hzの音は８５dBという事である。この聴覚上の音の大きさが音の大きさのレベル(Loudness level)であり、単位はホーン(Phon)である。ラウドネス曲線は、曲線の位置が上にあればその周波数に対する聴覚の感度は低く、下に行けば感度が高いことを意味する。曲線は全体として２〜４kHzを底とした御椀形で、両端の周波数は２０Hzと２０kHzとなっています。これは人間の可聴周波数帯域と呼ばれるものである。ラウドネス曲線では、２kHz〜４kHzの部分が最も下に窪んでおり、この領域は特に聴覚の感度が鋭いことを意味する。
【０００５】
この構成により、和音メロディーの再生帯域が、人間の聴感上感度の高い帯域で再生されることになり着信通知効果が高まる。
【０００６】
また、本発明による携帯端末装置は、着信通知手段として楽曲を使用する携帯端末装置において、楽曲データの中心周波数を使用するスピーカ特性から得られる出力音圧レベルが高い周渡数範囲を中心に移調することを特徴とする。携帯端末装置に実装されるスピーカ特性としては、構造的な制約やスピーカの口径等の影響により平坦な特性にはならない。特性例を図４に示す。
【０００７】
この構成により、例えば図４においては１kHzから２KHzの帯域で再生される楽曲を４kHzから８kHzの帯域に移調すれば、約１０dBの音圧が改善され着信通知効果が高まる。また、上部筐体と下部筐体が開閉可能なヒンジ部によって連結され、互いに折り畳みが可能な折り畳み式携帯端末装置において、前記上部筐体と前記下部筐体の開閉状態を検出して、移調の切り替え選択を行うことを特徴とする。
【発明の効果】
【０００８】
本発明の構成は、着信通知手段として使用する楽曲データの中心周波数を等ラウドネス曲線から得られる人間にとって聴覚上の感度が高い周波数範囲(２kHz〜４kHz)を中心に移調することや使用するスピーカ特性から得られる出力音圧レベルが高い周波数範囲を中心に移調することにより着信通知効果を高めることができる。
【発明を実施するための最良の形態】
【０００９】
本発明の携帯端末装置の構成としては、図１のように構成される。メモリに蓄積されているＭＩＤＩデータ等の楽曲データは、移調変更手段により移調される。次に楽曲データの中心周波数を等ラウドネス曲線から得られる人間にとって聴覚上の感度が高い周波数範囲(２kHz〜４kHz)を中心に移調する場合の移調変更手段について図２、図３を用いて説明する。図３においてＣ６(１１７４.７Hz)からＢ６(２０９３.OHz)で再生される楽曲データがあった場合、Ｃ７(２６３７.OHz)からＢ７(４１６６.OHz)に移調することにより聴覚上の感度が高い周波数範囲(２kHz〜４kHz)で再生されることになる。この場合オクターブ移調されることになるが、必ずしもオクターブ移調である必要は無い。次に、楽曲データの中心周波数を使用するスピーカ特性から得られる出力音圧レベルが高い周疲数範囲を中心に移調ずる場合の移調変更手段について図３、図４を用いて説明する。図３においてＣ６(１１７４.７Hz)からＢ６(２０９３.OHz)で再生される楽曲データがあった場合、Ｃ８(４６９８.６Hz)からＢ８(８３７２.OHz)に移調することにより図４に示すスピーカの特性における音圧レベルの高い周波数範囲(４kHz〜８kHz)で再生されることになる。この場合オクターブ移調されることになるが、必ずしもオクターブ移調である必要は無い。また、Ｃ９からＢ９等の他の帯域でも良い。この時の移調される周波数範囲は、図１に示すメモリにスピーカ特性から得られる周波数範囲をあらかじめ記憶させておくことにより決定する。
【産業上の利用可能性】
【００１０】
本発明は、携帯電話だけでなくＰＤＡやノートパソコン等の携帯情報端末全般に利用することができる。
【図面の簡単な説明】
【００１１】
【図１】本発明における携帯端末装置の構成を示すブロック図
【図２】等ラウドネス曲線を示す図
【図３】等分平均率音階における音の周波数を示す図
【図４】携帯端末装置に実装された時のスピーカ特性の例を示す図
【図１】
2007318211.tif 000003
【図２】
2007318211.tif 000004
【図３】
2007318211.tif 000005
【図４】
2007318211.tif 000006